(57)【特許請求の範囲】
【請求項１】
基礎と建物本体との間に隙間を形成すると共に、前記基礎又は前記建物本体に支持部材を設け、この支持部材によって前記隙間を覆う通気性を有する防鼠部材を着脱可能に設けた床下換気構造において、
前記支持部材は、前記防鼠部材の上下端を挿入、係止する一対の係止溝を有していることを特徴とする床下換気構造。
【請求項２】
前記支持部材は、水平な平板形状をなすベース部と、このベース部の屋外側端部に設けられた支持部とを有し、この支持部に前記一対の係止溝が配されており、
前記基礎の上端面には、前記建物本体を載せる複数の台座が間隔を置いて設けられ、隣接する台座と前記基礎と前記建物本体とによって前記隙間が形成され、
前記支持部材は、前記ベース部が、前記建物本体と前記台座との間又は前記台座と前記基礎との間に挟まれることにより固定されていることを特徴とする請求項１に記載の床下換気構造。
【請求項３】
前記基礎に垂直に延びるアンカー部材が埋設され、このアンカー部材の上端部が、前記台座及び前記支持部材のベース部を貫通すると共に、前記建物本体に連結されていることを特徴とする請求項２に記載の床下換気構造。
【請求項４】
前記防鼠部材の上方に水切り部材を備え、この水切り部材は、前記建物本体と前記防鼠部材との間に配されて前記建物本体の外側面から垂れる水を受ける受け板部と、この受け板部の屋外側端部から下に延びて前記防鼠部材を覆うカバー部とを有し、
前記支持部材は、この水切り部材をも着脱可能に支持していることを特徴とする請求項１〜３の何れかに記載の床下換気構造。
【請求項５】
前記支持部材の上端部には、前記水切り部材の受け板部を載せる載置板が設けられ、
前記水切り部材には、前記載置板の屋外側端部に係合される第１フックと、前記載置板の屋内側端部に係合される第２フックとが設けられていることを特徴とする請求項４に記載の床下換気構造。
【請求項６】
前記水きり部材のカバー部は、前記建物本体の外壁の下端の下側を通過し、前記基礎の外側まで延在して垂れ、
このカバー部と前記基礎との間には、床下の換気を遮断、開放する開閉蓋を設けたことを特徴とする請求項４又は５に記載の床下換気構造。
【請求項７】
前記防鼠部材は、弾性変形手段を用いて前記隙間に撥入させて前記一対の係止溝に装着させたことを特徴とする請求項１〜６の何れかに記載の床下換気構造。
【請求項８】
前記弾性変形手段は、前記一対の係止溝のいずれか一方に埋没された弾性部材であることを特徴とする請求項７に記載の床下換気構造。
【請求項９】
水平な平板形状をなすベース部及びこのベース部の屋外側端部に連なる支持部を有する支持部材と、通気性を有する防鼠部材とを用意し、
間隔を置いて複数の台座が設けられた基礎に、前記台座を介してユニット化された建物本体を設置するに際して、
前記建物本体と前記台座との間に前記支持部材のベース部を挟持させ、その後、この支持部材の支持部に前記防鼠部材を着脱可能に支持させることによって、この防鼠部材を、前記基礎と前記建物本体との間に形成された隙間に位置させることを特徴とするユニット建物の施工方法。
【発明の詳細な説明】
【０００１】
【発明の属する技術分野】
この発明は、床下換気構造およびユニット建物の施工方法に関するものである。
【０００２】
【従来の技術】
例えば、特開平９−１９５４０１号公報に記載の床下換気構造では、基礎の上に複数の台座を間隔を置いて配置し、これら台座に建物本体を載せることによって、隣接する台座と基礎と建物本体との間に隙間を形成している。この隙間を覆うようにして、防鼠部材が、台座間に架け渡されている。防鼠部材は、台座よりも屋外側に配された垂直な中片部と、この中片部の上下両端にそれぞれ設けられた水平な上片部および下片部とを有し、断面コ字形状に形成されている。中片部に多数のスリット（通気孔）が開けられており、そのうち上記隙間に位置されたスリットを介して床下の換気がなされる。防鼠部材の上片部は、建物本体と台座との間に挟まれ、下片部は、台座と基礎との間に挟まれている。これによって、防鼠部材が基礎および建物本体に固定されている。
【０００３】
また、特開平５−１７１７０４号公報には、網状換気部材を基礎の上に釘で固定しその上から住宅ユニットを設置し弾性変形させて装着する床下換気構造が開示されている。
【０００４】
【発明が解決しようとする課題】
上掲公報に記載の従来構造では、防鼠部材が基礎および／または建物本体に固定されて、取り外し不能になっている。したがって、防鼠部材が破損した時などに、これを自由に交換することができないという問題があった。また、基礎や建物本体に施工誤差があると、防鼠部材がその影響を直接受けて、たわみ、反り、曲げなどの変形を来たしたり、防鼠部材と基礎または建物本体との間に隙間が生じるおそれがあった。また、建物本体の設置前に防鼠部材を基礎に固定して設置しなければならず、施工手順上面倒な点があったし、ユニット据え付け後、劣化したり壊れたりした際に交換が困難であった。
【０００５】
【課題を解決するための手段】
上記問題を解決するため、請求項１に係る発明は、基礎と建物本体との間に隙間を形成すると共に、前記基礎又は前記建物本体に支持部材を設け、この支持部材によって前記隙
間を覆う通気性を有する防鼠部材を着脱可能に設けた床下換気構造において、前記支持部材は、前記防鼠部材の上下端を挿入、係止する一対の係止溝を有していることを特徴としている。
【０００６】
請求項２に係る発明は、請求項１において、前記支持部材は、水平な平板形状をなすベース部と、このベース部の屋外側端部に設けられた支持部とを有し、この支持部に前記一対の係止溝が配されており、前記基礎の上端面には、前記建物本体を載せる複数の台座が間隔を置いて設けられ、隣接する台座と前記基礎と前記建物本体とによって前記隙間が形成され、前記支持部材は、前記ベース部が、前記建物本体と前記台座との間又は前記台座と前記基礎との間に挟まれることにより固定されていることを特徴としている。
【０００７】
請求項３に係る発明は、請求項２において、前記基礎に垂直に延びるアンカー部材が埋設され、このアンカー部材の上端部が、前記台座及び前記支持部材のベース部を貫通すると共に、前記建物本体に連結されていることを特徴としている。
【０００８】
請求項４に係る発明は、請求項１〜３の何れかにおいて、前記防鼠部材の上方に水切り部材を備え、この水切り部材は、前記建物本体と前記防鼠部材との間に配されて前記建物本体の外側面から垂れる水を受ける受け板部と、この受け板部の屋外側端部から下に延びて前記防鼠部材を覆うカバー部とを有し、前記支持部材は、この水切り部材をも着脱可能に支持していることを特徴としている。
【０００９】
請求項５に係る発明は、請求項４において、前記支持部材の上端部には、前記水切り部材の受け板部を載せる載置板が設けられ、前記水切り部材には、前記載置板の屋外側端部に係合される第１フックと、前記載置板の屋内側端部に係合される第２フックとが設けられていることを特徴としている。
【００１０】
請求項６に係る発明は、請求項４又は５において、前記水きり部材のカバー部は、前記建物本体の外壁の下端の下側を通過し、前記基礎の外側まで延在して垂れ、このカバー部と前記基礎との間には、床下の換気を遮断、開放する開閉蓋を設けたことを特徴としている。
【００１１】
請求項７に係る発明は、請求項１〜６の何れかにおいて、前記防鼠部材は、弾性変形手段を用いて前記隙間に撥入させて前記一対の係止溝に装着させたことを特徴としている。
【００１２】
請求項８に係る発明は、請求項７において、前記弾性変形手段は、前記一対の係止溝のいずれか一方に埋没された弾性部材であることを特徴としている。
【００１３】
請求項９に係る発明は、水平な平板形状をなすベース部及びこのベース部の屋外側端部に連なる支持部を有する支持部材と、通気性を有する防鼠部材とを用意し、
間隔を置いて複数の台座が設けられた基礎に、前記台座を介してユニット化された建物本体を設置するに際して、前記建物本体と前記台座との間に前記支持部材のベース部を挟持させ、その後、この支持部材の支持部に前記防鼠部材を着脱可能に支持させることによって、この防鼠部材を、前記基礎と前記建物本体との間に形成された隙間に位置させることを特徴としている。
【００１４】
【発明の実施の形態】
以下、本発明を、図面に基づいて説明する。
【００１５】
図１および図２は、本発明の一実施の形態を示す図である。図中、建物は、基礎１０と、この基礎１０に支持された建物本体２０とを備えている。建物本体２０は、外壁２１と
、柱２２と、この柱２２に連結部材２３を介して連結された床梁２４とを有している。
【００１６】
基礎１０は、外壁２１に沿うように構築されている。基礎１０の上端面には、複数の台座３０（台座）が間隔を置いて配されている。台座３０は、例えば無収縮モルタル、樹脂、鋼材などで形成されている。モルタルによって台座３０を形成するには基礎１０と同時に、もしくは一体に形成してもよい。各台座３０の上に上記建物本体２０の柱２２が載せられている。隣接する台座３０と、これら台座３０上の柱２２間に架け渡された床梁２４と、基礎１０とによって、隙間Ａが形成されている。
【００１７】
基礎１０には、垂直をなすアンカーボルト１１（アンカー部材）が埋設されている。このアンカーボルト１１の上端部は、台座３０を貫通して、台座３０の上に突出され、そこにジョイントピン１２（外周面が円錐形状をなすナット）の下端部が螺合されている。このジョイントピン１２に、柱２２の底板に設けられた円錐形状をなすジョイント部材２５が嵌め込まれている。このジョイント部材２５とジョイントピン１２の上端部とが、ボルト２６で連結されている。これによって、柱２２ひいては建物本体２０の荷重がアンカーボルト１１を介して基礎１０から地盤に伝達される。なお、アンカーボルト１１を連結部材２３と連結し、柱２２の荷重が連結部材２３を介してアンカーボルト１１に伝わるようにしてもよい。
【００１８】
上記隙間Ａには、防鼠部材４０が設けられている。防鼠部材４０は、水平に細長い四角形状のフレーム４１と、このフレーム４１内に設けられた金網４２とを有している。金網４２は、通気性を有する一方、鼠などの小動物の出入りを阻止する。
【００１９】
防鼠部材４０は、支持部材５０Ａ，５０Ｂによって着脱可能に支持されている。支持部材５０Ａ，５０Ｂは、台座３０に設けた支持部材５０Ａと、隙間Ａに設けた支持部材５０Ｂとの二種類がある。支持部材５０Ａは、水平な平板形状をなすベース部５１と、このベース部５１の屋外側端部に設けられた垂直をなす支持部５２とを有している。
【００２０】
ベース部５１は、台座３０と柱２２との間に挟まれている。ベース部５１の中央部には貫通孔５１ａが形成され、この貫通孔５１ａを上記ジョイントピン１２が貫通している。ベース部５１の屋内側端部には、下方に延びる係止片５１ｂが設けられ、この係止片５１ｂが台座３０の屋内側端面に当てがわれている。また、支持部５２においてベース部５１より下に延びる部分が、台座３０の屋外側端面と基礎１０の屋外側端面に当てがわれている。これによって、支持部材５０Ａが、固定されている。
【００２１】
支持部５２の上下端部には、一対の係止溝５２ａ，５２ｂが形成されている。これら係止溝５２ａ，５２ｂに、防鼠部材４０の上下端部がそれぞれ挿入、係止されている。各係止溝５２ａ，５２ｂには、ゴムやスポンジなどの弾性材５３が収容されている。この弾性材５３が、防鼠部材４０を他方の係止溝５２ａ，５２ｂに向けて付勢することによって、防鼠部材４０のガタつきが防止されている。なお、弾性材５３は、何れか一方の係止溝５２ａ，５２ｂにだけ設けてもよい。
【００２２】
支持部材５０Ｂは、ベース部５４が箱形状をなしている点で支持部材５０Ａと異なっている。このベース部５４が、基礎１０の上端面に載せられている。ベース部５４の屋外側板が、支持部５５として提供されている。この支持部５５においてベース部５４の底板より下に延びる部分が、基礎１０の屋外側端面に当てがわれている。
【００２３】
支持部５５は、支持部材５０Ａの支持部５２と同一形状をなしており、防鼠部材４０を係止する上下一対の係止溝５５ａ，５５ｂを有し、これら係止溝５５ａに弾性材５３が収容されている。係止溝５５ａ，５５ｂは、支持部材５０Ａの係止溝５２ａ，５２ｂと同じ
高さに配されている。これによって、防鼠部材４０が、支持部材５０Ａ，５０Ｂ間に水平に架け渡されている。
【００２４】
上記支持部材５０Ａ，５０Ｂは、水切り部材６０をも着脱可能に支持している。すなわち、支持部材５０Ａ，５０Ｂの支持部５２，５５の上端部には、載置板５６が屋外へ突出するように設けられている。載置板５６は、屋外に向かうにしたがって下に傾斜しており、その上面にはゴムやスポンジなどからなるシート状の弾性材５７が貼り付けられている。載置板５６の屋内側端部には、係止片５６ａが屋内に向けて突設されている。載置板５６の屋外側端部は、下に折り曲げられて係止片５６ｂとなっている。
【００２５】
水切り部材６０は、外壁２１の下に配されて屋外に向かうにしたがって下に傾斜する受け板部６１と、この受け板部６１の屋外側端部から下方に延びるカバー部６２とを有し、基礎１０に沿って水平に長く延びている。受け板部６１には、フック６１ａ（第２フック）が設けられ、カバー部６２には、フック６２ａ（第１フック）が設けられている。
【００２６】
受け板部６１は、弾性材５７を介して載置板５６に載せられている。そして、フック６１ａが係止片５６ａに係止され、フック６２ａが係止片５６ｂに係止されている。この状態で、弾性材５７が圧縮され、受け板部６１を上に付勢している。これによって、フック６１ａ，６２ａが係止片５６ａ，５６ｂに押し当てられ、水切り部材６０のガタつきが防止されている。
【００２７】
受け板部６１の屋内側端部には、シール材６３が設けられ、このシール材６３が柱２２、連結部材２３、および床梁２４に当てられている。これによって、水切り部材６０と上記柱２２等との間がシールされている。
【００２８】
受け板部６１の屋外側端部は、外壁２１よりも屋外に突出されている。これによって、外壁２１から垂れた雨水が、受け板部６１によって受けられ、そこからカバー部６２を伝って地面に落とされる。カバー部６２は、防鼠部材４０より屋外側に離れて位置され、防鼠部材４０を外から見えないように覆っている。建物の床下空間は、隙間Ａ、防鼠部材４０の網目、および防鼠部材４０とカバー部６２との間の空間を介して屋外と連通している。これによって、床下換気がなされる。
【００２９】
上記のように構成された建物の施工手順について説明する。
【００３０】
まず、アンカーボルト１１をはじめとする基礎１０用の鉄筋を配筋し、コンクリートを打設することによって、基礎１０を構築する。コンクリートの硬化後、台座３０を配置する。台座３０が無収縮モルタルである場合は、基礎１０から突出されたアンカーボルト１１のまわりに型枠を置き、無収縮モルタルを流し込む。台座３０が樹脂や鋼材である場合は、それに予め中心孔が形成されていて、この中心孔にアンカーボルト１１を挿通する。その後、ジョイントピン１２を、アンカーボルト１１の上端部に螺合する。なお、台座３０が無収縮モルタルである場合は、アンカーボルト１１に当初からジョイントピン１２を螺合させておいてもよい。
【００３１】
次に、台座３０に支持部材５０Ａを置き、基礎１０に支持部材５０Ｂを置く。
【００３２】
建物本体２０は、ユニットとして出来上がった状態で現場に搬送される。この建物本体２０の柱２２を支持部材５０Ａのベース部５１上に載せ、ジョイントピン１２とジョイント部材２５とを連結する。なお、支持部材５０Ｂは、建物本体２０の設置後にセットしてもよい。
【００３３】
そして、支持部材５０Ａ，５０Ｂに防鼠部材４０を取り付ける。すなわち、防鼠部材４０を傾けた状態で、その上端部を支持部材５０Ａ，５０Ｂの上側の係止溝５２ａ，５５ａに挿し入れる。次に、防鼠部材４０を垂直に立てることによって、その下端部を下側の係止溝５２ｂ，５５ｂの上方に位置させる。そして、防鼠部材４０を離すと、その上端部は上側の係止溝５２ａ，５５ａに係止された状態を維持し、下端部は下側の係止溝５２ｂ，５５ｂに挿入、係止される。
【００３４】
次に、支持部材５０Ａ，５０Ｂに水切り部材６０を取り付ける。すなわち、水切り部材６０の受け板部６１を外壁２１と支持部材５０Ａ，５０Ｂの間に挿し入れる。そして、カバー部６２を弾性変形させながら、フック６１ａ，６２ａを係止片５６ａ，５６ｂに係止させる。
【００３５】
上記防鼠部材４０および水切り部材６０は、支持部材５０Ａ，５０Ｂを介して基礎１０および建物本体２０に取り付けられているので、基礎１０や建物本体２０に施工誤差があっても、たわみ、反り、曲げなどの変形を来たすことはなく、防鼠部材４０と基礎１０や建物本体２０との間に隙間が生じることもない。また、これら防鼠部材４０および水切り部材６０は、上記の取り付け手順とは逆の手順によって支持部材５０Ａ，５０Ｂから簡単に取り外すことができる。したがって、破損した場合などに、自由に交換することができる。
【００３６】
次に、本発明の他の実施形態について説明する。
【００３７】
図３は、上記支持部材５０Ａの変形例を示したものである。この変形例に係る支持部材５０Ａ’では、ベース部５１の支持部５２への接続位置が、上記支持部材５０Ａに対して台座３０の厚さ分だけ下にずれており、ベース部５１が、基礎１０と台座３０との間に挟まれている。建物施工の際は、この支持部材５０Ａ’を基礎１０に置いた後、その上に台座３０を配置する。この台座３０に建物本体２０の柱２２を載せる。
【００３８】
図３では、建物本体２０とアンカーボルト１１との連結構造についての他の形態をも示してある。すなわち、柱２２の底板には、ジョイント部材２５に代えて孔２２ａが形成されている。この孔２２ａにアンカーボルト１１を挿通し、このアンカーボルト１１の上端部にナット２７を螺合することによって、柱２２とアンカーボルト１１とが連結されている。
【００３９】
図４は、防鼠部材の変形例を示したものである。この防鼠部材４０’は、細長い平板形状をなし、多数の垂直に延びるスリット４３（通気孔）が等間隔置きに形成されている。防鼠部材４０’の下端縁の中央部には、つまみ４４が設けられている。
【００４０】
その他、本発明は、種々の改変が可能である。
【００４１】
例えば、基礎１０は、プレキャストコンクリート製であってもよい。
【００４２】
図１および図２の支持部材５０Ａを用いる場合には、台座３０が、基礎１０の上端面に基礎１０の一部として一体に形成された凸部であってもよい。
【００４３】
次に、図５および図６において、先に示した実施形態と防鼠部材の形状、取付方等が異なり、後はほぼ同様である実施形態を示す。
【００４４】
台座３０によって出来た基礎１０と建物本体２０との間の隙間Ａに、前述の支持部材５０Ａ、５０Ｂを用いることなく、この隙間Ａより大きく形成された通気性を有する防鼠部
材４０Ａ〜４０Ｄを弾性変形手段用いて撥入させて装着させている。
【００４５】
図６（Ａ）に示す防鼠部材４０Ａは、断面Ｔ字型を呈しており、その高さは隙間Ａより大きく、長さは隙間Ａの基礎１０に沿った巾に合わせて作られている。材料は、金属でも合成樹脂でもよいが、耐久性がよく、弾性変形可能である必要がある。また、通気性を有することから、Ｔ字の縦に相当する面には、ネズミや小動物が通過できない程度の小さな孔が多数開けられていたり、あるいは網目が形成されている。Ｔ字の水平に相当する面は、通気性を有する必要はなく、縦の面との間で弾性変形をも出来る。また弾性変形手段としては、基礎１０の所定位置に設けられ、隙間Ａの巾方向一杯に延びる溝１３に埋設されたゴムやスポンジ等の弾性部材７０であり、防鼠部材４０Ａ自体が弾撥変形可能であることである。このことにより、図の左側に示した防鼠部材４０Ａは、下端を弾性部材７０に押し込むようにし、本体も撓みながら押し込まれ、右のように立ち上がった状態でしっかり固定される。この弾性部材７０にも防鼠部材４０Ａの下端が入り込む溝が形成されているとより安定的にしかも装着作業が容易である。したがって、防鼠部材４０Ａを、弾性変形手段を用いて隙間Ａに撥入させて装着させることが出来る。
このように、防鼠部材自体が弾性変形可能にすることにより、至って簡単に防鼠部材を着脱自在に隙間に装着することができる。
【００４６】
図６（Ｂ）に示す防鼠部材４０Ｂは、断面コ字型の一方が開いた形状を呈しており、その高さは隙間Ａより大きく、長さは隙間Ａの基礎１０に沿った巾に合わせて作られている。材料は、金属でも合成樹脂でもよいが、耐久性がよく、弾性変形可能である必要がある。また、通気性を有することから、各面には、ネズミや小動物が通過できない程度の小さな孔が多数開けられていたり、あるいは網目が形成されている。勿論、基礎１０と接している面には、通気性を有する必要はない。また弾性変形手段としては、弾撥変形可能である防鼠部材４０Ｂ自体である。このことにより、図の左側に示した防鼠部材４０Ｂは、そのまま隙間Ａに押し込むようにし、上方斜めに伸びる面が撓みながらかつ床梁２４を押圧しながら押し込まれ、右のように弾撥力による開き付勢力でしっかり固定される。したがって、防鼠部材４０Ｂを、弾性変形手段を用いて隙間Ａに撥入させて装着させることが出来る。
【００４７】
図６（Ｃ）に示す防鼠部材４０Ｃは、断面Ｌ字型を呈しており、その高さは隙間Ａより大きく、長さは隙間Ａの基礎１０に沿った巾に合わせて作られている。材料は、金属でも合成樹脂でもよいが、耐久性がよく、弾性変形可能である必要がある。また、通気性を有することから、少なくともＬ字の縦に相当する面には、ネズミや小動物が通過できない程度の小さな孔が多数開けられていたり、あるいは網目が形成されている。Ｌ字の水平に相当する面は、通気性を有する必要はなく、縦の面との間で弾性変形をも出来る。また弾性変形手段としては、弾撥変形可能である防鼠部材４０Ｃ自体である。このことにより、図の左側に示した防鼠部材４０Ｃは、隙間Ａに押し込むようにし、Ｌ字の二片のなす角を狭めながら押し込まれ、弾性変形手段である防鼠部材４０Ｃ自体の弾撥変形の開き付勢力によって右のように基礎１０と床梁２４を押し付けるように立ち上がった状態でしっかり固定される。したがって、防鼠部材４０Ｃを、弾性変形手段を用いて隙間Ａに撥入させて装着させることが出来る。なお、図５に示す防鼠部材４０Ｃは、Ｌ字の二片のいずれかを基礎１０又は床梁２４のいずれに沿わせるかの違いであり、その他は同じである。
【００４８】
図６（Ｄ）に示す防鼠部材４０Ｄは、同じく断面Ｌ字型を呈しており、その高さは隙間Ａより大きく、長さは隙間Ａの基礎１０に沿った巾に合わせて作られている。材料は、金属でも合成樹脂でもよいが、耐久性がよく、弾性変形可能である必要がある。また、通気性を有することから、少なくともＬ字の縦に相当する面には、ネズミや小動物が通過できない程度の小さな孔が多数開けられていたり、あるいは網目が形成されている。勿論、床梁２４と接している面には、通気性を有する必要はない。また弾性変形手段としては、弾
撥変形可能である防鼠部材４０Ｄ自体である。このことにより、図の左側に示した防鼠部材４０Ｄは、そのまま縦の面を押して隙間Ａに押し込むようにし、この面が湾曲して基礎１０と床梁２４を押し広げるような付勢力でしっかり固定される。したがって、防鼠部材４０Ｄを、弾性変形手段を用いて隙間Ａに撥入させて装着させることが出来る。
【００４９】
さらに、図５には、水切り部材６０Ａが設けられている。この水切り部材６０Ａは、外壁２１の内側からこの外壁２１の下端の下側を通過し、基礎１０の外側まで先下がりに延在して受け板部６１Ａが形成され、その先端から垂れて基礎１０の上端部を覆うカバー部６２Ａが設けられ、水を基礎１０の外側に流し去る様にされている。この水切り部材６０Ａは、床梁２４にシール材６３を介して取り付けられているが、全体はここでは図示されていないが、図１〜図３に示されている支持部材５０Ａ，５０Ｂのような部材の載置板５６に弾性材５７を介して装着されている。この実施形態では、防鼠部材４０Ａ〜４０Ｄと防鼠部材４０とは取付方が異なるので、この支持部材は支持部材５０Ａ，５０Ｂとは異なる。
【００５０】
この水切り部材６０Ａと基礎１０との間に、高温、多湿のときに開放し、寒冷時に遮断することが出来る開閉蓋６４Ａが設けられ、床下の換気を有効に行っている。この開閉蓋６４Ａは、水切り部材６０Ａの長手方向全長に渡って設けても良く、間隔を空けて固定した板渡しで、開いた位置に開閉蓋６４Ａが開閉自在に取り付けられても良い。この開閉は、手動でも自動でも行える。例えば、電動あるいは形状記憶合金を使用して、所定温度で開閉させてもよい。開閉蓋６４Ａの取付位置は、勿論ここに限定されるものではない。なお、図２に示す床下換気構造にもこの種の換気をするため開閉蓋６４Ａが設けられることを示している。したがって、高温或いは多湿のときには、開閉蓋６４Ａを開けて換気を十分にし、寒冷時には開閉蓋６４Ａを閉じて外気を床下に導かず、暖房熱の損失をさせない。
【００５１】
【発明の効果】
以上説明したように、請求項１、７に係る発明では、防鼠部材が破損などしたとき、これを自由に交換することができる。また、防鼠部材が基礎や建物本体の施工誤差の影響を直接受けて変形したり、防鼠部材と基礎または建物本体との間に隙間が生じたりするのを防止することができる。
また、防鼠部材の着脱を容易に行うことができる。
【００５２】
請求項２、９に係る発明では、支持部材を確実に固定することができる。
【００５３】
請求項３に係る発明では、建物本体の荷重をアンカー部材を介して地盤に確実に伝えることができる。
【００５４】
請求項４に係る発明では、水切り部材によって防鼠部材が外から見えないようにして見栄えを向上できるとともに、水切り部材についても防鼠部材と同様に、自由に交換でき、かつ変形を防止できる。
【００５５】
請求項５に係る発明では、水切り部材を支持部材に確実に支持することができる。
【００５６】
請求項６に係る発明は、請求項８の効果の加え、温度や湿度に応じて開閉蓋を開閉し、効率的かつ適切な換気を行うことができる。
【００５７】
請求項７に係る発明では、単に押し込むだけで確実に装着でき、また取り外しも容易に行うことができる。また、建物本体設置後に出来た隙間を確認しながら隙がないように防鼠部材を装着することができる。
【００５８】
請求項８に係る発明は、防鼠部材が滑って倒れることなく確実に装着するように出来る。
【図面の簡単な説明】
【図１】  本発明の一実施形態に係る床下換気構造を備えた建物の要部分解斜視図である。
【図２】  図１に示す建物の断面図である。
【図３】  基礎と建物本体の連結構造と、台座に配される支持部材との変形例を示す分解斜視図である。
【図４】  防鼠部材の変形例を示す斜視図である。
【図５】  他の実施形態の床下換気構造を備えた建物の断面図である。
【図６】  防鼠部材の変形例とその装着を示す斜視図および断面図である。
【符号の説明】
１０  基礎
１１  アンカーボルト（アンカー部材）
２０  建物本体
３０  台座
４０、４０Ａ、４０Ｂ、４０Ｃ、４０Ｄ  防鼠部材
５０Ａ，５０Ｂ  支持部材
５１  ベース部
５２  支持部
５２ａ，５２ｂ  係止溝
５５ａ，５５ｂ  係止溝
５６  載置板
６０、６０Ａ  水切り部材
６１、６１Ａ  受け板部
６２、６２Ａ  カバー部
６１ａ  フック（第２フック）
６２ａ  フック（第１フック）
【図１】
0003730853.tif 000002
【図２】
0003730853.tif 000003
【図３】
0003730853.tif 000004
【図４】
0003730853.tif 000005
【図５】
0003730853.tif 000006
【図６】
0003730853.tif 000007